(57)【要約】【課題】使用前は保管，運搬に便利なように質量および体積が小さく、災害発生時に使用する時には、水を吸い込んで体積と質量が増加し、築堤等を構築できる土嚢を提供する。【解決手段】通水性の材質の袋２内に仕切り３を介し区画された複数の充填空間Ｓが形成され、水不溶性吸水樹脂４とベントナイト５の粒状体が別々の充填空間内Ｓに充填されて構成されている。【選択図】図２
2009041201.tif 000002
【特許請求の範囲】
【請求項１】
通水性の材質の袋に、水不溶性吸水樹脂とベントナイトを充填してなる土嚢。
【請求項２】
前記水不溶性吸水樹脂およびベントナイトが粒状体であることを特徴とする請求項１に記載の土嚢。
【請求項３】
前記袋内に仕切りを介し区画された複数の充填空間が形成されてなり、前記水不溶性吸水樹脂とベントナイトは別々の充填空間内に充填されていることを特徴とする請求項２に記載の土嚢。
【発明の詳細な説明】
【技術分野】
【０００１】
本発明は、内部に吸水樹脂を充填した土嚢に関するものである。
【背景技術】
【０００２】
従来、河川の決壊や流入土砂の侵入，雨水による斜面の崩壊等の災害を防止するために土嚢が使用されており、従来では、土嚢は袋のみを用意して、災害の発生が予想され、または災害が発生した場合に、災害地に袋を送り、災害地の劣悪な条件のもとで袋に土砂を充填し、袋を閉じて土嚢を形成し、この土嚢を積み上げて使用している。
【特許文献１】特開昭６２−１３３２０４号公報
【発明の開示】
【発明が解決しようとする課題】
【０００３】
従来の土嚢では、災害地の劣悪な条件のもとで人力により袋に土砂を充填しており、多数の人力を確保せねばならず、また、大量の充填用の土砂を調達せねばならず、災害地で短時間に大量の土嚢を作ることは極めて困難であるという問題点があった。
【課題を解決するための手段】
【０００４】
本発明は、このような問題点に鑑み案出したものであって、災害地の現場で、労力を要することなく使用が可能な土嚢を提供することを目的の一つとし、また、積み重ねた状態で河川などの水流圧に耐えて崩れにくい土嚢を提供することを目的の一つとする。
本発明は、上記目的の少なくとも一部を達成するために以下の手段をとった。
本発明の土嚢は、通水性の材質の袋に水不溶性吸水樹脂とベントナイトを充填してなることを要旨とする。
【発明の効果】
【０００５】
本発明の土嚢では、災害地において水を含ませることにより、水不溶性吸水樹脂とベントナイトが吸水により膨らみ、適度な体積を有する土嚢となり、特にベントナイトは体積とともに重量が増大するため、積み上げて使用する際に、河川等の水流圧に抗して動かない土嚢となる。
また、使用後、自然乾燥させることにより、脱水蒸発し、再使用することが可能であり、使用しない時には保管や運搬が容易となる。
【０００６】
なお、本発明の土嚢において、前記水不溶性吸水樹脂およびベントナイトが粒状体であるものとするができる。これにより、袋内に水不溶性吸水樹脂およびベントナイトを充填させることが容易で、袋内での移動性が良好なものとなり、使用しない時には軽い状態で積み上げて保管しておくことができ、また、運搬も軽いために容易なものとなる。
【０００７】
また、本発明の土嚢において、前記袋内に仕切りを介し区画された複数の充填空間が形成されてなり、前記水不溶性吸水樹脂とベントナイトは別々の充填空間内に充填されている構成とすることもできる。こうすることで、袋内が複数の充填空間に区画されているため、水不溶性吸水樹脂およびベントナイトは１個所にかたまることがなく、袋内のほぼ全域に均等に配置されることとなり、使用しない時に、積み重ね状にして保管することができ、また、使用時に吸水させる時にも均一に土嚢を膨潤させてゆくことができるものとなる。
【発明を実施するための最良の形態】
【０００８】
次に、本発明の実施の形態を実施例を用いて説明する。
図１は、土嚢の保管時の斜視構成図であり、土嚢は平面視長方形状の袋で構成され、この袋２の長手方向端側には、内側へ折り畳み状にガセット部２ａが形成されている。
この袋２内には、図２の平面構成図で示すように、長手方向に延びる複数の仕切り３，３，３が平行に間隔をおいて形成されており、各仕切り３，３間には、それぞれ充填空間Ｓが形成されている。
【０００９】
本例では、複数の充填空間Ｓ内に水不溶性吸水樹脂４が充填されており、また、隣の充填空間Ｓ内にはベントナイト５が充填されている。水不溶性吸水樹脂４およびベントナイト５は粒状に形成されており、各充填空間Ｓ内に充填しやすい形状となっている。
図２では、水不溶性吸水樹脂４，ベントナイト５，水不溶性吸水樹脂４，ベントナイト５がそれぞれ交互に、隣り合う別々の充填空間Ｓ内に充填されて構成されている。
ベントナイト５は、特に袋２の幅方向両端側の充填空間Ｓ内に充填し、その内側の充填空間Ｓ内に水不溶性吸水樹脂４を充填しておくことが好ましい。
【００１０】
なお、図３は、変更例を示す断面構成図であり、図３の土嚢１では、袋２内に高さ方向の略中央部に仕切り３が設けられており、仕切り３により上充填空間Ｓ１と下充填空間Ｓ２が袋２内に形成されており、上充填空間Ｓ１内には水不溶性吸水樹脂４が充填され、下充填空間Ｓ２内にはベントナイト５が充填されたものである。
【００１１】
なお、図４は、水不溶性吸水樹脂４およびベントナイト５に水を吸水させて膨潤させ、袋２を膨らませた使用状態を示すものであり、使用状態では、袋２が膨らんでガセット部２ａが延びて、土嚢１の上下高さが高くなり、この状態で土嚢１を複数段に積み上げて災害時に使用することができるものである。
【００１２】
なお、図５には、更なる変更例を示す。
図５に示す土嚢１０は、図1に示した土嚢１よりも3倍以上の横長寸法の袋２０ａ，２０ｂを形成して、この袋２０ａ，２０ｂを連結部２０ｃで連結させたものであり、この連結部２０ｃの横方向寸法は、図１の土嚢１の横寸法とほぼ同一寸法に設定されており、この連結部２０ｃ上に、図４の状態の土嚢１を載置できるように構成したものである。
【００１３】
なお、図５において、土嚢１内には重さをかせぐために砂利等を入れておけば、土嚢１が重しとなって、河川等の水流圧に抗して動かないようになり、土嚢１０を広い範囲に亘って積み上げて用いることができるものである。
図５のように、袋２０ａ，２０ｂを横長形状に形成させておけば、一度に広い範囲に亘り土嚢１０を複数積み上げて、早急に災害現場の水の侵入等を防ぐことができるものとなり、短時間で広範囲の築堤等を迅速に構築することができるものとなる。
【００１４】
このように本例の土嚢１，１０では、使用前は、保管，運搬が簡易なように質量および体積を小さくしておくことができ、使用する時には、迅速に築堤等を構築することができるものとなり、しかも、使用時には水により膨らみ体積と質量が増加して、積み重ねても崩れにくい土嚢となり、河川等の流水圧に充分に耐えることができるものとなる。
【００１５】
なお、土嚢１を構成する前記袋２は、水が通水でき、しかも粒状の水不溶性吸水樹脂４およびベントナイト５が漏れ出さないようなものであれば良く、天然繊維，人造繊維，金属繊維，鉱物繊維などの材質でできた織物，編み物，不織布等で構成される。
また、袋２は、ポリエチレン，ポリプロピレン等の熱可塑性樹脂のシートをヒートシールして、重ね合わせて袋状にしたものであっても良く、その場合は、水不溶性吸水樹脂４およびベントナイト５が漏れ出さない程度の微細な孔を袋２に形成させておくと良い。
【００１６】
また、充填される水不溶性吸水樹脂４としては、例えば澱粉−アクリロニトリルグラフト共重合体の加水分解物，セルロース−アクリル酸グラフト共重合体およびその塩等を用いることができ、また、ジビニル化合物（メチレンビスアクリルアミド等）で架橋されたポリアクリルアミドおよびその部分加水分解物，架橋ポパール等を用いることもでき、また更には、架橋された澱粉−アクリルアミドグラフト共重合体，架橋された澱粉−アクリル酸グラフト共重合体およびその塩等を用いることができるものである。
【００１７】
また、ベントナイト５は、天然に産出する無機系の粘土であり、人体に無害なものであり、低価格で大量に入手することができ、大量の水を吸水してゼリー状となる性質を有し、大部分は粘土鉱物モンモリロナイトで構成されたものである。
なお、ベントナイト５に替えて、あるいはベントナイト５と共に、石綿を含まないバーミキュライトを袋２内に充填して構成することもできる。
なお、袋２内に水を吸い込んで水不溶性吸水樹脂４およびベントナイト５が膨潤した時に、前記仕切り３が破れて破壊されるように構成しておくこともできるものである。
【図面の簡単な説明】
【００１８】
【図１】土嚢を構成する袋の斜視構成図である。
【図２】土嚢の内部の平面構成図である。
【図３】土嚢の別例を示す縦断面構成図である。
【図４】土嚢が水を吸い込んで膨らんだ状態の斜視構成図である。
【図５】横長形状の袋部を連結して構成された土嚢の使用状態の概略構成図である。
【符号の説明】
【００１９】
１，１０  土嚢
２，２０ａ，２０ｂ  袋
２ａ  ガゼット部
３  仕切り
４  水不溶性吸水樹脂
５  ベントナイト
Ｓ，Ｓ１，Ｓ２  充填空間
【図１】
2009041201.tif 000003
【図２】
2009041201.tif 000004
【図３】
2009041201.tif 000005
【図４】
2009041201.tif 000006
【図５】
2009041201.tif 000007